(57)【要約】【課題】ビール樽からビールを注出するサーバシステムの、供給炭酸ガス圧力をビール温度、または、ビール樽温度に応じた圧力に、速く、正確に変化させることのできる、コンパクトな自動調圧式炭酸ガス圧力調整器の創出。【解決手段】従来の圧力調整器を基本にして、電子制御ユニット（ＥＣＵ）及び、ステッピングモータを追加、一体化することでコンパクト化を図り、ビール温度、または、ビール樽温度の電気信号をＥＣＵに入力、ＥＣＵ内に設定した制御マップを参照して、ＥＣＵはステッピングモータの駆動信号を出力、ステッピングモータは調圧プレートを回転させ、調圧スプリングの伸縮によって供給圧力を制御する。温度変化に応じ速く正確な制御を可能とした。【選択図】    図３
2009196639.tif 000002
【特許請求の範囲】
【請求項１】
ビール樽からビールを注出するための、炭酸ガスの圧力を、気温、ビール温度、および又は、ビール樽温度によって変化させるために、気温、ビール温度、および又は、ビール樽温度の電気的信号を電子制御ユニットに入力し、電子制御ユニットに設定した制御マップを参照して、電子制御ユニットが圧力調整器のアクチュエータに駆動信号を出力することによって、炭酸ガスの供給圧力を調整する炭酸ガス用圧力調整システムにおいて、炭酸ガス圧力調整器に電子制御ユニットを一体に組付けるとともに、圧力調整用アクチュエータを、ステッピングモータとし、ステッピングモータは、ねじ式調圧プレートを回転させ、ねじ式調圧プレートは調圧スプリングの伸縮をすることを特徴とする自動調圧式炭酸ガス圧力調整器。
【請求項２】
ステッピングモータの脱調を補正するために、調圧プレート位置を検出するスイッチを設け、スイッチの反転位置を、供給圧力０．０５ＭＰａから０．５ＭＰａの間に設定したことを特徴とする請求項１の自動調圧式炭酸ガス圧力調整器。
【請求項３】
電子制御ユニットに昇圧及び降圧のスイッチを設け、スイッチ操作で制御マップに対し昇圧又は降圧し、その圧力は、０．０２ＭＰａから０．１ＭＰａの間に設定したことを特徴とする請求項１の自動調圧式炭酸ガス圧力調整器。
【発明の詳細な説明】
【技術分野】
【０００１】
本発明は、ビール樽に炭酸ガス圧力をかけて注出する、ビールサーバシステムの、高圧容器の炭酸ガスを減圧する圧力調整器に関するものである。
【背景技術】
【０００２】
ビール樽からビールを美味しく注出するために、高圧容器の炭酸ガスを圧力調整器で減圧して、ビール樽に供給するビールサーバシステムの、ビール樽にかける炭酸ガス圧力（供給圧力）を、大気温度、ビール温度、又は、ビール樽温度に応じて変化させることが有効であることがわかっている。一般的には大気温度やビール温度に合わせて、手動で圧力調整器の調圧スプリングを操作して供給圧力を変えている。また、最近は図１に示すように、ビール通路１のビール温度を感知して伸縮するサーモワックスペレット２を利用して、調圧スプリング３を伸縮し、供給圧力を自動調整する方法も提案されている。
【特許文献１】特開２００６−２７６５１
【発明の開示】
【発明が解決しようとする課題】
【０００３】
解決しようとする課題は、ビール樽のビールを美味しく注出するために、ビール樽にかける供給圧力を、大気温度、ビール温度及び又は、ビール樽温度に応じて変化させることを目的に、従来の自動調圧式圧力調整器より応答性がよく、正確で信頼性が高い、自動調圧式炭酸ガス圧力調整器を提供することである。
【課題を解決するための手段】
【０００４】
本発明は、図２における、５の自動調圧式炭酸ガス圧力調整器を指す。図２はビール温度を感知する温度センサ６、又は、ビール樽温度を感知する温度センサ７の配置図である。図３は５の自動調圧式炭酸ガス圧力調整器の断面図であって、圧力調整器と一体的に組み込まれた電子制御ユニット３０と、ステッピングモータ２１、他、で構成し、上記図２の温度センサ６又は、７の電気信号を電子制御ユニット３０に入力、電子制御ユニット３０は、入力された温度信号に対し出力すべき供給圧力の制御マップ、図４を参照して、ステッピングモータ２１を駆動する電気信号を出力し、ビール樽からビールを注出する炭酸ガス供給圧力を、上記温度に応じた圧力に自動で変化させることを主要な特徴とする。
【発明の効果】
【０００５】
圧力に対する安全性や調圧構造の信頼性の高い、従来の炭酸ガス圧力調整器に、電子制御ユニット、ステッピングモータ、他、を一体化し、ビール温度やビール樽温度に応じて供給圧力を変化させる自動化をすると、手動時の煩わしさ、調整誤差がなくなる、また、気温やビール温度をサーモワックスペレットに触れさせて、調圧スプリングの伸縮をする自動調圧式に比較しても、応答速度が速く、より正確に、目的の供給圧力を得ることができる。
【発明を実施するための最良の形態】
【０００６】
以上説明したように、ビールサーバ用としての自動調圧式炭酸ガス圧力調整器は、ビアホールや居酒屋などの頻繁にビール樽を交換する量販店向けが最良で、頻繁に交換するビール樽内のビール温度はまちまちであり、供給圧力をビール温度、又はビール樽温度に依存した自動化は、いつでも誰でも、同じ美味しさのビールを注出することができる。
【実施例】
【０００７】
図３は、本発明の実施例の断面図で、右の図は電子制御ユニット側の矢視図である。高圧の炭酸ガスは１３のボンベジョイントから入り、１５の１次バルブで中間圧に減圧され、１７の２次バルブで供給圧力に調整される。供給圧力を決めるのが、１９の調圧スプリングで、２５の調圧プレートが回転して１９の調圧スプリングを伸縮する。２５の調圧プレートを回転させるのが２２のコネクティングプレートで２１のステッピングモータ軸に固定されている。２２のコネクティングプレートには複数本のピン２３を設け、調圧プレート２５はピン２３に沿ってブッシュ２４を介して軸方向へスライドする。即ち、２１のステッピングモータが回転すると、２２のコネクティングプレートが回転し、２３のピンが２５の調圧プレートを回転させる、２５の調圧プレートは回転しながらねじ部で軸方向に作動、１９の調圧スプリングを伸縮する。
【０００８】
図２の温度センサ６または７が、ビールまたはビール樽の温度を、低温側に感知したとき、図３の電子制御ユニット３０は、ステッピングモータ２１を、１９の調圧スプリングを伸ばす方に駆動する。２次ダイアフラム１８はビール樽内圧力が高いため図３の上方に移動し、１７のリリーフポートが２次バルブ１６´から離れ、炭酸ガスはビール樽側（供給圧力側）から１７のポートを通過し、２０の大気ポートから大気へ放出され、圧力を下げる。
【０００９】
図２の温度センサ６または７が、ビールまたはビール樽の温度を、高温側に感知したとき、図３の電子制御ユニット３０は、ステッピングモータ２１を、１９の調圧スプリングを縮ませる方に駆動する、２次ダイアフラム１８は2次バルブを押し供給圧力を高める。
【００１０】
図３において、通常ステッピングモータの回転による軸位置は、電子制御ユニットが認識している。ステッピングモータの過負荷や慣性などで、電子制御ユニットが認識している位置と実際の回転軸位置がずれることがある、軸位置の補正のため、位置センサ２６を設ける。センサ２６は非接触のホール素子を使用、あらかじめ決められた２５の調圧プレート位置を認識し電気信号を出力する。２５の調圧プレート位置はあらかじめマニュアル操作で供給圧力を例えば０．１５ＭＰａに調整しておき、図３の下方に下げておいた２６の位置センサを、２８の調整スクリューをねじ込んで、位置センサ２６をスライドさせ出力が変化する位置で２７の固定スクリューを締める。この位置を基準位置とし、電源ＯＮ時に電子制御ユニット内のステッピングモータ軸位置を、リセットする。
【００１１】
電子制御ユニット３０には、温度センサ入力に対して、出力すべきステッピングモータへのステップ数を決める制御マップ、図４を備え、入力に対して制御マップを参照して出力する。また、ビールの泡を好みで変えることができるように、電子制御ユニットに３２の昇圧スイッチおよび３３の降圧スイッチを設け、それぞれ０．０２ＭＰａから０．１ＭＰａの間で任意設定した圧力へ、スイッチを押すことによって、制御マップに対して、設定圧力分平行に昇圧又は降圧する。
【産業上の利用可能性】
【００１２】
以上説明したように、本発明は温度に応じた供給圧力の自動調圧を、応答速度が速く、きめ細かくできる。従って、ビール以外に、炭酸飲料の自動販売機用として、飲料温度に対する炭酸ガス混入率マップを設定することにより、正確な自動調圧式炭酸ガス圧力調整器を提供できる。
【図面の簡単な説明】
【００１３】
【図１】従来の自動調圧式炭酸ガス圧力調整器の説明図である。
【図２】本発明の自動調圧式炭酸ガス圧力調整システムの説明図である。
【図３】本発明の自動調圧式炭酸ガス圧力調整器の説明図である。（実施例）
【図４】本発明の自動調圧式炭酸ガス圧力調整器の制御マップである。
【符号の説明】
【００１４】
１    ビール通路
２    サーモワックスペレット
３    調圧スプリング
４    電源（ＡＣアダプタ）
５    自動調圧式炭酸ガス圧力調整器アッセンブリ
６    ビール温度センサ
７    ビール樽温度センサ
８    ビール通路
９    炭酸ガス供給通路
１０    温度センサコード
１１    炭酸ガスボンベ
１２    ビール樽
１３    ボンベ接続口（炭酸ガス入口）
１４    供給口（炭酸ガス出口）
１５    １次バルブアッセンブリ
１６    ２次バルブアッセンブリ
１６´  ２次バルブ
１７    リリーフ通路
１８    ２次ダイアフラムアッセンブリ
１９    調圧スプリング
２０    大気ポート
２１    ステッピングモータ
２２    コネクティングプレート
２３    ピン
２４    ブッシュ
２５    調圧プレート
２６    位置センサ
２７    固定スクリュー
２８    調整スクリュー
３０    電子制御ユニット
３１    電源スイッチ
３２    昇圧スイッチ
３３    降圧スイッチ
【図１】
2009196639.tif 000003
【図２】
2009196639.tif 000004
【図３】
2009196639.tif 000005
【図４】
2009196639.tif 000006